(57)【要約】【課題】  家庭などにおける食事の献立を決めるにあたって、ユーザが食材を選定することにより、簡易に献立を決定することができ、レシピを同時に呈示して、食材の買い忘れを防ぐことのできる、便利な買物支援装置を提供する。【解決手段】  ユーザが最近購入した食材および店頭で関心を引いた食材のリストをユーザ端末に表示させて、このリストの中から使用したい食材を選定し、これらの使用したい食材と料理のレシピを蓄積したデータベースの料理の食材とを比較して、使用したい食材に適した料理を検索してユーザに呈示するとともに、レシピを同時にユーザ端末に表示して食材の買い忘れを防ぐようにする。【選択図】図１
2014049039.tif 000002
【特許請求の範囲】
【請求項１】
ネットワークを通じて複数種の要求を受付けて、それぞれの要求に応じた応答データを要求元に返信する送受信手段と、
会員識別子を指定した購買履歴取得要求に対して、所定のＰＯＳ管理システムから当該会員識別子で特定される会員の購買履歴を取得し、当該会員の購買履歴情報を応答データとして作成する購買履歴取得手段と、
商品識別コードを指定した商品食材特定要求に対して、商品識別コードで特定される商品に対応する食材名のリストデータを追記して応答データとして作成する商品食材特定手段と、
会員識別子を指定した購入食材表示要求に対して、購入した商品に対応する食材名のリストデータを応答データとして作成する購入食材特定手段と、
食材と食材を使用する料理および料理のレシピを蓄積したデータベースと、
一つ以上の食材名を指定したレシピ検索要求に対して、指定された食材を使用する料理のレシピ一覧情報を応答データとして作成するレシピ検索手段と、
前記各手段を制御する制御手段と、を備えることを特徴とする買物支援装置。
【請求項２】
前記レシピ検索手段は、一つ以上の指定された食材とデータベースに蓄積された料理の食材とを比較してマッチング率が高いレシピを、マッチング率が高い順に応答データとして作成する請求項1に記載の買物支援装置。
【請求項３】
前記レシピ検索手段は、購買履歴情報が存在する食材について、購買履歴情報があることが判るように応答データを作成する請求項1に記載の買物支援装置。
【発明の詳細な説明】
【技術分野】
【０００１】
本発明は料理のレシピを利用した買物支援装置に関し、食事の献立を決めかねているユーザに対し、ユーザの過去の食材購入履歴から選択する食材と店舗において気にとまった食材を元にして、予めレシピデータベースに格納された料理のレシピの中からユーザに相応しい料理のレシピを提供することに関する。
【背景技術】
【０００２】
食材の購買について、献立を事前に決めておけば、それに必要な食材が決められるので、それぞれの材料に対して、新聞の折り込みチラシなどを参照し、販売価格などの条件を満たすように購入先を比較検討して食材を購入する方法が一般的に行われる。しかし、生活者などの場合、店舗で見かけた魅力的な食材によって、事前に決めておいた献立を変更したり、献立を事前に決定しないまま夕食の買い物に出かけ、店舗の店先に陳列された商品を見てから献立を決めるといったこともまたよくあることである。
【０００３】
後者のように、事前に献立が確定していない場合、店頭の商品や購入済みの食材をいくつか選択し、それらを用いた料理を検索することによって献立を決めることができれば便利である。また、新たな献立が決まった場合、それに必要な食材を買いもらしたり、購入済の食材を再度購入してしまうことがないよう、食材が購入済みかどうかの情報などが手軽に入手できればさらに便利である。
【０００４】
近年では、インターネット技術の発展に伴い、ネットワークを介して食材の販売する店舗ＰＯＳ情報や購入した食材に関連する情報、および購入した食材を使ってできる料理レシピなどを検索して、レシピをユーザ端末に表示し、ユーザに推薦したり提案したりするシステムや方法が呈示されてきている。
【０００５】
特許文献１では、販売店で入力されるいわゆるＰＯＳ情報を活用して、ユーザが購入した商品に関連する情報を、ユーザの情報端末に提示するとともに、料理献立や料理レシピのデータベースを備え、ユーザが購入した食品や調味料等の調理材料情報に基づき、購入品を使ってできる料理レシピを検索し、タイムリーに提供することによって、ユーザの献立作成の作業を軽減する商品情報提供システムが示されている。
【０００６】
また、特許文献２では、ユーザの買い物履歴を格納した食材購入履歴データベースと、メニュを提供するためのメニュを格納したメニュデータベース及びそのメニュを構成する食材を格納した食材データベースを備え、食材購入履歴データベースと食材データベースに格納された食材とを対比させ、共通した食材を含有するメニュをメニュデータベースから抽出し、ユーザに提案する方法が示されている。
【０００７】
また、特許文献３では、レシピと手持ちの商品のリストをコンピュータで照合して、献立を決定したり最適な家庭内在庫管理を支援することができる商品情報提供システムが示されている。
【先行技術文献】
【特許文献】
【０００８】
【特許文献１】特開平１１−９６２１４号公報
【特許文献２】特開２００４−１３３３１号公報
【特許文献３】特開２００４−１２６６８６号公報
【発明の概要】
【発明が解決しようとする課題】
【０００９】
しかしながら、特許文献１に開示された商品情報提供システムは、販売店における購入時点でのユーザが購入した商品の情報と、料理レシピのデータベースから購入品を使ってできる料理レシピを検索し、ユーザに栄養面を加味した献立を提示するものである。しかし、買い置きされた材料の情報や店頭の商品を見て急に使いたくなった食材を取り入れたい場合などの対応が困難なため、融通性や柔軟性に欠ける。
【００１０】
特許文献２に開示された方法では、ユーザの買い物履歴を格納した食材購入履歴データベースを参考に献立を推薦するもので、過去の購入履歴の蓄積である食材購入履歴データベースと料理のレシピの一部である食材データベースとのマッチングを図るものである。しかし、この方法では、現時点で所有している食材を考慮した献立を推薦するものではなく、また、データベースに蓄積された情報の更新が緩やかなため、推薦される献立が偏ってしまうなどの問題がある。また、ユーザが指定する食材を加味することもできるが、現時点での所有食材などを確認した上で指定する必要がある。
【００１１】
特許文献３の商品情報提供システムでは、購入した商品に関する情報をコンピュータで管理し、料理をする場合に必要な材料の存在をコンピュータが認識する、家庭における商品管理を支援するシステムが示されている。しかし、商品の購入や使用または払い出しの度にバーコードリーダや手入力により入出庫情報の更新を行わねばならず、精度の高い運用を続けるのは事実上困難である。
【００１２】
本発明は、多くの生活者の悩みである「今日の献立」について、ユーザの直近の食材購入履歴から、また、店舗において関心を引いた食材を選定することにより、簡易に、店頭において決めることができ、決定した料理のレシピを同時に呈示することによって、食材の買い忘れを防ぐことのできる、便利な買物支援装置を提供することを目的とする。
【課題を解決するための手段】
【００１３】
前記課題を解決するための、本願の発明は、ネットワークを通じて複数種の要求を受付けてそれぞれの要求に応じた応答データを要求元に返信する送受信手段と、会員識別子を指定した購買履歴更新要求に対して、店舗のＰＯＳ管理システムから当該会員識別子で特定される会員の購買履歴を取得し、当該会員の購買履歴情報を応答データとして作成する購買履歴取得手段と、会員識別子を指定した購入食材表示要求に対して、購入した商品に対応する食材名のリストデータを応答データとして作成する購入食材特定手段と、商品識別コードを指定した商品食材表示要求に対して、商品識別コードで特定される商品に対応する食材名のリストデータを応答データとして作成する商品食材特定手段と、食材と食材を使用する料理および料理のレシピを蓄積したデータベースと、一つ以上の食材名を指定したレシピ検索要求に対して、指定された食材を使用する料理のレシピ一覧情報を応答データとして作成するレシピ検索手段と、前記各手段を制御する制御手段と、を備えることを特徴とする買物支援装置である。ここで、店舗のＰＯＳ管理システムは、どの会員がどんな商品をいつ購入したかを記憶保持しており、買物支援装置からの購買履歴更新要求に対して、これらの情報を提供する。
【００１４】
前記レシピ検索手段は、一つ以上の指定された食材とデータベースに蓄積された料理の食材とを比較しマッチング率が高いレシピを、マッチング率が高い順に応答データとして作成するようにしてもよい。ここでマッチング率とは、料理のレシピを蓄積したデータベースからある料理を選択したとき、その料理の食材と指定された食材が合致する比率であって、例えば、ある料理の食材が６種類で構成されており、指定された食材がそのうちの３種類と合致していれば比率は５割と算定され、この比率が大きい料理をマッチング率が高いと評価する。
【００１５】
前記レシピ検索手段は、購買履歴情報が存在する食材について、購買履歴情報があることが判るように応答データを作成するようにしてもよい。
【発明の効果】
【００１６】
本発明によれば、ユーザ端末から買物支援装置に対し最近の購買履歴の情報提供を要求することにより、ユーザが購入した食材を買物支援装置に記憶させるとともに、直近に購入した食材を端末に表示させ、また、店頭で気を引いた商品の情報を読取り、その商品の食材名を端末に表示させ、ユーザがそれら表示された食材の中から一つ以上の食材を選定して、買物支援装置に対し選定した食材を使用する料理のレシピを検索させることができる。ユーザはこの手順を何度か繰り返すことにより、まだ決めかねていた献立を決定することができ、また、レシピの呈示によって食材の買い忘れを防ぎ、既に買い置きされている食材の有効活用も期待できる。
【図面の簡単な説明】
【００１７】
【図１】本実施形態の全体構成を示す図である。
【図２】購買履歴テーブル１８１の一例を示す図である。
【図３】商品テーブル１８２の一例を示す図である。
【図４】商品食材紐付けテーブル１８３の一例を示す図である。
【図５】食材テーブル１８４の一例を示す図である。
【図６】レシピテーブル１８５一例を示す図である。
【図７】レシピ材料テーブル１８６の一例を示す図である。
【図８】本実施形態の買物支援装置１００のハードウェア構成の一例を示すブロッ  ク図である。
【図９】購買履歴取得手段１３０の処理の流れを説明するブロック図である。
【図１０】ＴＯＰ画面が表示されたユーザ端末２００の表示画面の例である。
【図１１】商品食材特定手段１４０の処理の流れを示すブロック図である。
【図１２】バーコードから読取った食材が表示されたユーザ端末２００の表示画面  の例である。
【図１３】購入食材特定手段１５０の処理の流れを示すブロック図である。
【図１４】最近の購買履歴が表示されたユーザ端末２００の表示画面の例である。
【図１５】レシピ検索手段１６０の処理の流れを示すブロック図である。
【図１６】レシピ一覧が表示されたユーザ端末２００の表示画面の例である。
【図１７】レシピ詳細が表示されたユーザ端末２００の表示画面の例である。
【発明を実施するための形態】
【００１８】
以下に、本発明の一つの実施形態の構成について図面を参照してさらに詳細に説明する。また、本実施形態では、買物支援装置が持つ各種のデータベースについて、説明の上で必要最低限の項目しか例示していないが、実際の運用においては、これらに派生する様々な項目が付加され保存されている。
【００１９】
図１は、本実施形態の全体構成を示す図である。図１において、１００は買物支援装置であり、インターネット上で１つ以上のユーザ端末２００に対し買物支援サービスを提供する装置である。本装置はコンピュータプログラム（詳細な説明は後述）といくつかのデータベース（詳細な説明は後述）を備えている。また、本実施形態の買物支援装置１００は同一の会員識別子（ＩＤ）で管理される店舗（店舗グループ）におけるサービスを実現するものであり、該店舗のＰＯＳ管理システムを含む店舗内システム４００との間で情報の送受信を行う。店舗のＰＯＳ管理システムは店舗内システム４００のコンピュータ上で作動する店舗における購買情報のデータベースに係るアプリケーションプログラムであり、買物支援装置１００のリクエストを受けて、どの会員がどんな商品をいつ購入したかといった情報を買物支援装置１００に提供する。
【００２０】
ネットワーク５００は簡略化されて表示しているが、例えばインターネットのようなゲートウェイを介した複数のネットワークの組合せであり、ＬＡＮ（Ｌｏｃａｌ  Ａｒｅａ  Ｎｅｔｗｏｒｋ）、電話回線、移動体通信網等から構成され、ユーザ端末２００と買物支援装置１００の間で情報の送受信を可能とするためのものである。
【００２１】
買物支援装置１００は、ユーザ端末２００に買物支援サービスを提供するサーバーであり、会員識別子（ＩＤ）およびユーザが購入した商品名と店舗が販売している商品に一意に割り当てられる商品コードと購入日を蓄積した購買履歴テーブル１８１と、店舗が販売している全ての商品の商品コードを含む情報を蓄積した商品テーブル１８２と、商品テーブル１８２に登録されている商品名と食材識別子（ＩＤ）を紐付ける商品食材紐付けテーブル１８３と、食材識別子（ＩＤ）と食材名を対応付ける食材テーブル１８４と、料理ごとにレシピ識別子（ＩＤ）と料理名とその料理の作り方を蓄積したレシピテーブル１８５と、料理に用いる食材についてレシピ識別子（ＩＤ）と材料名と食材識別子（ＩＤ）を列挙したレシピ材料テーブル１８６のそれぞれのデータベースを備える。
【００２２】
図２は購買履歴テーブル１８１の一例を示す図である。購買履歴テーブル１８１の１件の記録（１レコード）は、購入した会員の会員ＩＤと購入商品名、商品コード及び購入日から構成されるとした例である。購買履歴テーブル１８１のレコードは購買履歴取得手段１３０（詳細な機能は後述する）によって生成され、同時に複数の会員の情報を蓄積することができる。
【００２３】
図３は商品テーブル１８２の一例を示す図である。商品テーブル１８２の１件の記録（１レコード）は、その店舗における商品名、商品コード、メーカーや販社名、数量や容量、およびその他の情報から構成されるとした例である。
【００２４】
図４は商品食材紐付けテーブル１８３の一例を示す図である。商品テーブル１８３の１件の記録（１レコード）は、その店舗における商品コードと食材ＩＤから構成されるとした例である。異なった商品コードの商品でも食材として同一であれば、同一の食材ＩＤを付与するようにしている。
【００２５】
図５は食材テーブル１８４の一例を示す図である。食材テーブル１８４の１件の記録（１レコード）は、食材ＩＤと食材名から構成されるとした例である。
【００２６】
図６はレシピテーブル１８５の一例を示す図である。レシピテーブル１８５の１件の記録（１レコード）は、レシピＩＤ、料理名、および作り方（テキスト情報）から構成されるとした例である。
【００２７】
図７はレシピ材料テーブル１８６の一例を示す図である。レシピ材料テーブル１８６の１件の記録（１レコード）は、レシピＩＤ、材料名、食材ＩＤおよび分量から構成されるとした例である。レシピ材料テーブル１８６はレシピテーブル１８５の作り方で呈示されている食材について食材ＩＤに落とし込んだものである。即ち、レシピテーブル１８５の作り方として登録されているテキスト情報中に含まれる食材について、食材名とそれに対応する食材ＩＤとを並べて記載したものである。
【００２８】
また、買物支援装置１００は、ユーザが購入した商品の情報を購買履歴テーブル１８１に登録する購買履歴取得手段１３０と、ユーザが使用したい商品の食材名を特定する商品食材特定手段１４０と、ユーザが購入した商品の食材名を特定する購入食材特定手段１５０と、ユーザが使用したい食材を用いて作れる料理を呈示するレシピ検索手段１６０と、これらの手段と前記データベースを関連付けて制御する制御手段１２０と、ネットワーク５００を通じてユーザ端末２００および店舗内システム４００とデータの送受信を行う送受信手段１１０のそれぞれとして機能するプログラムモジュールを備える。
【００２９】
特に図示しないが、ユーザ端末２００は、買物支援装置１００とデータの送受信を行う通信手段を備える。
【００３０】
図８は、買物支援装置１００のハードウェア構成を示す図である。買物支援装置１００はハードウェアとしては一つのコンピュータシステムである。図８に示すように買物支援装置１００は、制御部１０１、記憶部１０２、周辺機器Ｉ／Ｆ部１０３、入力部１０４、表示部１０５、通信部１０６を備え、それらがバス１０９を介して接続される。尚、図８のハードウェア構成は一例であり、別途、目的に応じて様々な構成を採ることが可能である。
【００３１】
制御部１０１は、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）等で構成される。ＣＰＵは、記憶部１０２、ＲＯＭ、記録媒体等に格納されるプログラムをＲＡＭ上のワークメモリ領域に呼び出して実行し、バス１０９を介して接続された各装置を駆動制御し、コンピュータが行う処理を実現する。ＲＯＭは、不揮発性メモリであり、買物支援装置１００のブートプログラムやＢＩＯＳ等のプログラム、データ等を恒久的に保持している。ＲＡＭは、揮発性メモリであり、記憶部１０２、ＲＯＭ、記録媒体等からロードしたプログラム、データ等を一時的に保持するとともに、制御部１０１が各種処理を行う為に使用するワークエリアを備える。
【００３２】
記憶部１０２は、ＨＤＤ（ハードディスクドライブ）であり、制御部１０１が実行するプログラム、プログラム実行に必要なデータ、ＯＳ（オペレーティングシステム）等が格納される。プログラムに関しては、ＯＳ（オペレーティングシステム）に相当する制御プログラムや、後述する購買履歴取得手段１３０として機能させるプログラムコード、商品食材特定手段１４０として機能されるプログラムコード、購入食材特定手段１５０として機能されるプログラムコード、レシピ検索手段１６０として機能されるプログラムコードが格納されている。これらの各プログラムコードは、制御部１０１により必要に応じて読み出されてＲＡＭに移され、ＣＰＵに読み出されて実行されることにより各種の手段として機能する。
【００３３】
周辺機器Ｉ／Ｆ（インタフェース）部１０３は、買物支援装置１００に周辺機器を接続させるためのポートであり、周辺機器Ｉ／Ｆ部１０３を介してコンピュータは周辺機器とのデータの送受信を行う。周辺機器Ｉ／Ｆ部１０３は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
【００３４】
入力部１０４は、データの入力を行い、例えば、キーボード、マウス等のポインティングデバイス、テンキー等の入力装置を有する。入力部１０４を介して、買物支援装置１００に対して、操作指示、動作指示、データ入力等を行うことができる。表示部１０５は、液晶パネル等のディスプレイ装置、ディスプレイ装置と連携して買物支援装置１００のビデオ機能を実現するための論理回路等（ビデオアダプタ等）を有する。
【００３５】
通信部１０６は、通信制御装置、通信ポート等を有し、買物支援装置１００とネットワーク５００間の通信を媒介する有線または無線の通信インタフェースであり、ネットワーク５００を介して、他のコンピュータ間との通信制御を行う。バス１０９は、各装置間の制御信号、データ信号等の授受を媒介する経路である。
【００３６】
また、特に図示はしないが、ユーザ端末２００についても買物支援装置１００に準じたハードウェアの構成をしており、通信部は、通信制御装置、通信ポート等を有し、それぞれの装置とネットワーク５００間の通信を媒介する通信インタフェースであり、ネットワーク５００を介して、他のコンピュータ、特に買物支援装置１００との通信制御を行う通信手段を備える。
【００３７】
図９は、購買履歴取得手段１３０の処理の流れを説明するブロック図である。ユーザはユーザ端末２００から、店舗におけるサービスの一つである買物支援サービスの提供を受けるアプリケーションプログラムを起動する（Ｓ３１）。アプリケーションプログラムを起動すると、ユーザ端末２００はユーザ端末の通信手段を用いて買物支援装置１００に対し、店舗の会員識別子（ＩＤ）を指定した購買履歴取得要求を送信する。買物支援装置１００は送受信手段１１０を介して会員識別子を含んだ購買履歴取得要求を受信すると制御手段１２０を通じ購買履歴取得手段１３０を起動させる。
【００３８】
購買履歴取得手段１３０は送受信手段１１０を介して、店舗内システム４００にユーザ端末２００から受信した会員識別子を送信する（Ｓ３２）。店舗内システム４００は会員データベース４１０を参照し、正当な会員かどうか認証し（Ｓ３３）、認証されたらＰＯＳ管理システム４１０より該会員の購買履歴データを取得しその履歴データを買物支援装置１００に返信する（Ｓ３４）。買物支援装置１００は送受信手段１１０を介して購買履歴データを受信すると、制御手段１２０を通じ購買履歴取得手段１３０にデータを渡し、購買履歴取得手段１３０は受信した購買履歴データを購買履歴テーブル１８１にデータの重複がない様にまたは以前の該会員に係るレコードを消去した上で書き込む（Ｓ３５）。これらの処理が完了したら、購買履歴取得手段１３０はＴＯＰ画面（Ｓ３６、図１０）を作成し、送受信手段１１０を介してユーザ端末２００に表示させるべく送信する。
【００３９】
図１０は、ＴＯＰ画面が表示されたユーザ端末２００の表示画面の一例である。先ず、献立を考える際に、料理に使用したい食材を選定する（Ｄ１０）。このために、使用したい食材を店頭で商品に付与されたバーコードを読込むことによって選定することを要求するボタン（Ｄ１１）と使用したい食材を直近の購買履歴から選定すべく購買履歴表示を要求するボタン（Ｄ１２）が表示され、選択可能になっている。また、本例示では、レシピ一覧の表示要求（Ｄ２１）に際しても、本画面が用いられる。
【００４０】
図１１は、商品食材特定手段１４０の処理の流れを示すブロック図である。ユーザ端末２００から、前述の料理に使用したい食材の選定に際し、ＴＯＰ画面（図１０）から店頭で商品に付与されたバーコードを読込むことによって選定する「バーコード読取り」（図１０のＤ１１）を選んだ場合、ユーザ端末２００のアプリケーションプログラムは、図１２の画面を表示する。この画面の表示中にバーコードを読取るモードにし（「新規読取」（Ｄ３７）ボタンを選択する）、バーコードを撮影したら、読取ったバーコードを解析し、そのバーコード情報（商品コード）とともに商品食材特定要求を買物支援装置１００に送信する。買物支援装置１００は送受信手段１１０を介してバーコード情報を受信すると、制御手段１２０を通じて商品食材特定手段１４０を起動し、その商品がどの食材に当たるかを特定する。具体的には、受信した商品コードをキーとして該当する商品を商品テーブル１８２にて特定し（Ｓ４１）、商品食材紐付けテーブル１８３を参照してその商品がどの食材にあたるかを特定する（Ｓ４２）。この処理が完了したら、商品食材特定手段１４０は読取った食材のリスト画面（Ｓ４３、図１２）を作成する。尚、このとき既に読取った食材のリスト画面が作成されていた場合は、新たな食材のリストをこれに追加するようにリスト画面を作成し、この画面データを送受信手段１１０を介してユーザ端末２００に表示させるべく送信する。
【００４１】
図１２は、店頭において、商品のバーコードを読取った際の「読取った食材」画面が表示されたユーザ端末２００の表示画面の一例である。読取った商品順に、それらの食材としての名称が列挙される（Ｄ３０）。ここで、表示された食材を「レシピ選択」のキーにすべくチェックボックスをチェックして選定することができる（Ｄ３１）。また、さらに続けて次の食材を読取りたいときは「新規読取」（Ｄ３７）ボタンを、ＴＯＰ画面に戻るときは「ＴＯＰ」（Ｄ３９）ボタンを選択する。
【００４２】
図１３は、購入食材特定手段１５０の処理の流れを示すブロック図である。前述の料理に使用したい食材の選定に際し、ＴＯＰ画面（図１０）から直近の購買履歴から選定すべく購入食材表示を要求する「購買履歴より選択」（図１０のＤ１２）を選んだ場合、ユーザ端末２００のアプリケーションプログラムはユーザの会員識別子とともに購入食材表示要求を買物支援装置１００に送信する（Ｓ５１）。買物支援装置１００は送受信手段１１０を介してこの要求を受信すると、制御手段１２０を通じて購入食材特定手段１５０を起動し、購買履歴テーブル１８１の該会員に係るレコードを参照して購入した商品名を取得し、商品食材紐付けテーブル１８３と食材テーブル１８４を用いて食材名に変換し、購買履歴のリスト画面（Ｓ５２、図１４）を作成して、送受信手段１１０を介してユーザ端末２００に表示させるべく送信する。購買履歴のリスト画面の作成については、購買履歴テーブル１８１から当該会員識別子を持つアイテムの商品を例えば購入日の近い順に２０品目を抽出する、あるいは購入日から一週間以内の商品を全て抽出するといった規則を用いてリストアップする。
【００４３】
図１４は、購買履歴表示を要求して、「最近の購買履歴」画面が表示されたユーザ端末２００の表示画面の一例である。購買日が新しい食材順に列挙される（Ｄ４０）。ここで、表示された食材を「レシピ選択」のキーにすべくチェックボックスをチェックして選定することができる（Ｄ４１とＤ４２）。また、この画面はスクロールでき、列挙された全ての食材について表示と選択が可能である。ここでＴＯＰ画面に戻るときは「ＴＯＰ」（Ｄ４９）ボタンを選択する。
【００４４】
図１５は、レシピ検索手段１６０の処理の流れを示すブロック図である。ユーザ端末２００において、前記、「読取った食材」画面と「最近の購買履歴」画面とで一つ以上のキーとなる食材を選定（Ｓ６１）した後、ＴＯＰ画面（図１０）に戻り、レシピ一覧表示を要求（Ｄ２１）した場合、ユーザ端末２００のアプリケーションプログラムはレシピ一覧表示の要求とともに前記選定された食材のデータを買物支援装置１００に送信する。
【００４５】
買物支援装置１００は送受信手段１１０を介してレシピ一覧表示の要求を受信すると、制御手段１２０を通じてレシピ検索手段１６０を起動し、選定された食材を使用する料理のレシピを検索しリストアップする。具体的には、選定された食材を食材テーブル１８４にて食材ＩＤに変換し、レシピ材料テーブル１８６を参照して、同一のレシピＩＤを持つレコードに含まれる食材ＩＤと選択された食材ＩＤとがマッチングするレシピＩＤを抽出し、このレシピＩＤを持つレシピをレシピテーブル１８５より抽出する、この処理が完了したら、レシピ検索手段１６０はレシピ一覧画面（Ｓ６２、図１６）およびそれぞれのレシピの詳細情報を呈示するレシピ詳細画面（Ｓ６２、図１７）を作成し、送受信手段１１０を介してユーザ端末２００に表示させるべく送信する。
【００４６】
上記レシピの検索方法において、それぞれのレシピＩＤ中に含まれる食材ＩＤが、選定された食材ＩＤとマッチングする率が高いレシピを、マッチング率が高い順に例えば１０個検索して呈示するようにしてもよい。
【００４７】
図１６は、「レシピ一覧」画面が表示されたユーザ端末２００の表示画面の一例である。レシピ検索手段１６０が検索したレシピの情報が表示される（Ｄ５０）。これらのレシピの詳細情報を取得したい場合、対応する料理名を選択し（Ｄ５１）、「レシピ詳細」ボタン（Ｄ５９）を選択する。
【００４８】
図１７は、「レシピ詳細」画面が表示されたユーザ端末２００の表示画面の一例である。レシピ一覧画面で選択した料理のレシピの詳細な情報が表示される（Ｄ６０）。レシピ一覧に戻りたいときは「レシピ一覧」（Ｄ６９）ボタンを選択する。
【００４９】
上記「レシピ詳細」画面において、最近購入した履歴がある食材については、その旨が画面上に明示されるようにしてもよい。（図１７のＤ６１の☆マーク）
【００５０】
本実施形態によれば、ユーザが最近購入した食材を携帯電話（スマートフォン）の画面に容易に一覧表示できるとともに、店頭で魅力的な商品を見かけたときにも付属するバーコードを読み込むことにより携帯電話の画面に同様に食材として一覧表示でき、それらの食材のいくつかを選択することにより、それらを用いた料理のレシピを検索、表示することができる。この機能を使えば、例えば夕食の献立が決まっていなくても、最近購入した食材をメインにレシピを検索したり、店頭で気を引いた食材をメインにレシピを検索したりできるので、容易に献立を決定することができ、また、レシピを画面に表示させることによって食材の買い忘れを防ぎ、既に買い置きされている食材の有効活用も可能となる。
【００５１】
本発明は、上述の実施形態に限定されることなく、特許請求の範囲内で種々変更、応用が可能である。例えば、本実施形態では同一の会員識別子（ＩＤ）で管理できる店舗内における運用を事例に挙げているが、同一の会員識別子（ＩＤ）で管理されれば複数の店舗グループにまたがった運用をすることができる。また、ユーザ端末としてタブレット型のパソコン等の携帯端末であっても同様に本発明の実施をすることが可能である。
【符号の説明】
【００５２】
１００  買物支援装置
１０１  制御部
１０２  記憶部
１０３  周辺機器Ｉ／Ｆ部
１０４  入力部
１０５  表示部
１０６  通信部
１１０  送受信手段
１２０  制御手段
１３０  購買履歴取得手段
１４０  商品食材特定手段
１５０  購入食材特定手段
１６０  レシピ検索手段
１８１  購買履歴テーブル
１８２  商品テーブル
１８３  商品食材紐付けテーブル
１８４  食材テーブル
１８５  レシピテーブル
１８６  レシピ材料テーブル
２００  ユーザ端末
４００  店舗内システム
４１０  ＰＯＳ管理システム
４２０  会員データベース
５００  ネットワーク
【図１】
2014049039.tif 000003
【図２】
2014049039.tif 000004
【図３】
2014049039.tif 000005
【図４】
2014049039.tif 000006
【図５】
2014049039.tif 000007
【図６】
2014049039.tif 000008
【図７】
2014049039.tif 000009
【図８】
2014049039.tif 000010
【図９】
2014049039.tif 000011
【図１０】
2014049039.tif 000012
【図１１】
2014049039.tif 000013
【図１２】
2014049039.tif 000014
【図１３】
2014049039.tif 000015
【図１４】
2014049039.tif 000016
【図１５】
2014049039.tif 000017
【図１６】
2014049039.tif 000018
【図１７】
2014049039.tif 000019